(57)【要約】【課題】  被検査対象の動画が一致するか否かを検査する電気製品の動画検査方法を提供する。【解決手段】  複数の静止画像からなる基準の動画と複数の静止画像からなる被検査対象の動画の一致性を調べて、被検査対象の動画の一致／不一致を判断する電気製品の動画検査方法において、基準の動画の静止画像を１以上抽出し、抽出された静止画像と一致するフレームが、被検査対象の動画のフレームにあるか否かを予め設定された閾値に基づいて判断し、抽出された全ての静止画像が被検査対象の動画のフレームにあると判断すれば基準の動画と被検査対象の動画が一致すると判断するようにした。【選択図】        図１
2006033733.tif 000002
【特許請求の範囲】
【請求項１】
複数の静止画像からなる基準の動画と複数の静止画像からなる被検査対象の動画の一致性を調べて、被検査対象の動画の一致／不一致を判断する電気製品の動画検査方法において、
前記基準の動画の静止画像を１以上抽出し、前記抽出された静止画像と一致するフレームが、前記被検査対象の動画のフレームにあるか否かを予め設定された閾値に基づいて判断し、前記抽出された全ての静止画像が前記被検査対象の動画のフレームにあると判断すれば基準の動画と被検査対象の動画が一致すると判断するようにした、電気製品の動画検査方法。
【請求項２】
品質・信頼性試験の基準となる電気製品の表示画面に表示される、或る動画を撮影し、撮影した動画の開始から終了までの間の画像から複数の静止画像を抽出し、
前記動画を、品質・信頼性試験の対象となる電気製品の表示画面に再生し、前記複数の静止画像の各々を、順次、前記品質・信頼性試験の対象となる電気製品の表示画面に再生している動画を撮像し、撮像した動画のフレームと比較し、前記撮像した動画の或るフレームと前記複数の静止画像の各々に対応するフレームとの一致割合が、予め設定した閾値の範囲にある場合には、前記静止画像と前記撮像した動画の或るフレームとが一致すると判断し、前記抽出された複数の静止画像の全てが、前記被検査対象の動画のフレーム中にあると判断した場合、前記品質・信頼性試験の対象となる電気製品の表示画面に、動画の再生が正確に行われている、と判断するようにした、電気製品の動画検査方法。
【請求項３】
前記抽出した複数の静止画像を出現順に並べ替え、静止画像の各々を、その出現順に、前記品質・信頼性試験の対象となる電気製品の表示画面に再生している動画を撮像し、撮像した動画の１フレーム毎にフレームの出現順に比較し、且つ前記静止画像の一画像が、前記撮像した動画のフレームの或るフレームと一致したと判断したときは、次の静止画像を、前記撮像した動画のフレームの或るフレームの次のフレームから比較するようにした、請求項１又は請求項２に記載の電気製品の動画検査方法。
【請求項４】
前記閾値が、画素の比較として光の３原色である赤緑青各々に許容誤差濃度を予め設定し、比較する前記静止画像と前記フレームの全画素について前記許容誤差濃度を超える画素数の総数について予め設定される閾値である、請求項１〜３のいずれかに記載の電気製品の動画検査方法。
【請求項５】
品質・信頼性試験の基準及び対象となる電気製品の表示画面を撮像する撮像手段と、
前記撮像手段が撮像した、前記品質・信頼性試験の基準及び対象となる電気製品の表示画面に表示される動画を表示する表示手段と、
前記撮像手段が撮像した、前記品質・信頼性試験の基準となる電気製品の表示画面に表示される動画の開始から終了までの間の画像から複数の静止画像を抽出する手段と、
前記動画を、前記品質・信頼性試験の対象となる電気製品の表示画面に再生し、前記複数の静止画像の各々を、順次、前記品質・信頼性試験の対象となる電気製品の表示画面に再生している動画を、前記撮像手段により撮像し、撮像した動画の１フレーム毎に比較し、前記撮像した動画の或るフレームと前記複数の静止画像の各々に対応するフレームとの一致割合が、予め設定した閾値の範囲にある場合には、前記静止画像と前記撮像した動画の或るフレームとが一致すると判断する判断手段と、
前記判断手段が、前記抽出された複数の静止画像の全てが、前記被検査対象の動画のフレーム中にあると判断した場合、前記品質・信頼性試験の対象となる電気製品の表示画面に、動画の再生が正確に行われている、と判断するようにした、電気製品の動画検査装置。
【請求項６】
前記抽出した複数の静止画像を出現順に並べ替える画像並び替え手段と、
前記抽出した複数の静止画像の各々を前記画像並び替え手段により出現順に並べ替えたものを、その出現順に、前記品質・信頼性試験の対象となる電気製品の表示画面に再生している動画を撮像し、撮像した動画の１フレーム毎にフレームの出現順に比較し、且つ、前記静止画像の一画像が、前記撮像した動画のフレームの或るフレームと一致したと判断する判断手段と、
前記判断手段が、前記静止画像の一画像が、前記撮像した動画のフレームの或るフレームと一致したと判断したときは、次の静止画像を、前記撮像した動画のフレームの或るフレームの次のフレームから比較する比較手段とを備える、請求項５に記載の電気製品の動画検査装置。
【請求項７】
前記判断手段が、前記静止画像の一画像が、前記撮像した動画のフレームの或るフレームと一致したと判断するための閾値が、画素の比較として光の３原色である赤緑青各々に許容誤差濃度を予め設定し、比較する前記静止画像と前記フレームの全画素について前記許容誤差濃度を超える画素数の総数について予め設定される閾値である、請求項５又は請求項６に記載の電気製品の動画検査装置。
【請求項８】
前記品質・信頼性試験の基準及び対象となる表示画面に表示させる動画のサイトを呼び出す情報を記憶する記憶手段と、
前記記憶手段に記憶された動画のサイトを呼び出す情報を、前記電気製品の外部入力手段へ入力する外部入力手段入力操作手段とを更に備える、請求項５〜７のいずれかに記載の電気製品の動画検査装置。
【発明の詳細な説明】
【技術分野】
【０００１】
本発明は、複数の静止画像からなる基準の動画と複数の静止画像からなる被検査対象の動画の一致性を調べて、被検査対象の動画の一致／不一致を判断する、電気製品の動画検査方法、及び、そのような電気製品の動画検査方法を実施するのに好適な電気製品の動画検査装置に関する。
【背景技術】
【０００２】
近時、携帯電話機等の情報端末機その他の電気製品として、液晶表示部を備え、液晶表示部に、起動時に動画を再生できるようにしたものや、また、受信した動画を再生できるようにしたものが、幅広く出回っている。
【０００３】
このような電気製品は、工場から出荷する前に、表示画面が、起動時に動画を正確に再生できるか否か、また、受信した動画を正確に再生できるか否かの品質・信頼性試験が行われている。
【０００４】
ところで、動画の比較をする方法としては、例えば、複数の動画像データを同期させて、各々、映像として再生し、再生した映像を合成して表示することにより、映像の比較を行う、映像比較装置及び映像比較プログラムを記録した記録媒体が既に提案されている。
【０００５】
図９は、従来の映像比較装置の構成を概略的に示すブロック図であり、図１０は、図９に示す映像比較装置の機能の概略を示す概念図であり、また、図１１は、図９に示す映像比較装置の動作の概要を示すフローチャートである。
【０００６】
この映像比較装置１０１は、ＭＰＵ１０４と、メモリ１１２と、ハードディスクドライブ装置（ＨＤＤ）１０９と、マウス１０８と、キーボード１０６等の入力手段からユーザの指示を入力する入力処理部１１０と、ディスプレイ装置１０５の表示画面１０５ａに表示する画像を生成する表示制御部１１１と、外部から映像（動画像）を入力する映像入力部１０２とを備える。
【０００７】
この映像比較装置１０１は、第１の動画像データを記録する第１の記録手段１０９ａと、第１の動画像データ中の特定の時刻を表示する第１の時刻設定手段と、第２の動画像データを記録する第２の記録手段１０９ｂと、第２の動画像データ中の特定の時刻を表示する第２の時刻設定手段と、上記時刻設定手段の設定に応じて上記各記録手段から各動画像データを読み出す同期手段１１４と、読み出された各動画像データから各々映像を再生する映像再生手段１１３ａ、１１３ｂと、映像再生手段によって再生された各映像を合成する合成手段１１５と、合成手段１１５によって合成された映像を表示する表示画面１０５ａとを備える。
【０００８】
そして、この映像比較装置１０１では、図１１及び図１２に示すように、２つの動画像データを同期させ各々映像を再生し、再生した映像を合成して表示するようにしている。
【０００９】
より詳しく説明すると、この映像比較装置１０１では、指導者の滑走映像と、被指導者の滑走映像とを撮像手段を用い撮像し、指導者の滑走映像（図１２中、（Ａ））と、被指導者の滑走映像（図１２中、（Ｂ））とを同期させて再生し、指導者の滑走状態と、被指導者の滑走状態とを比較し、被指導者の滑走フォーム等の検討を行えるようにしている。
【特許文献１】特開２００１−１８６４７１号公報
【発明の開示】
【発明が解決しようとする課題】
【００１０】
しかしながら、上記した従来の映像比較装置１０１は、２つの映像が一致するか否かの判断を、合成手段１１５によって合成された映像を、この装置を使用する者が、目視によって、観察し、２つの動画が同じ動きをしているのか否かを判断することを前提にしている。
【００１１】
また、この映像比較装置１０１では、２つの異なる映像（指導者の滑走映像（図１２中、（Ａ））と、被指導者の滑走映像（図１２中、（Ｂ）））を同期させて再生することを前提にしている。
このため、液晶表示器等を備える電気製品の品質管理部門のような、表示画面が、起動時に動画を正確に再生できるか否か、また、受信した動画を正確に再生できるか否か等の品質・信頼性試験を何度も長時間で行うような分野には、確認のため多くの人数を必要としたり、人的なミス（例えば、見落とし等）が発生するため、直ちに、この技術を導入できない、という問題がある。
【００１２】
また、動画の再生ができないような製品を出荷してしまうような事態が発生すると、市場においてそのような製品は欠陥商品となるため、そのような欠陥商品を市場に送り出さないための、電気製品の表示画面が、起動時に動画を正確に再生できるか否か、また、受信した動画を正確に再生できるか否か等の品質・信頼性試験を、無人で機械によって行うことができるようにした、電気製品の動画検査方法及び電気製品の動画検査装置の開発が望まれている。
【００１３】
また、上記した従来の映像比較装置１０１では、２つの異なる映像（指導者の滑走映像（図１２中、（Ａ））と、被指導者の滑走映像（図１２中、（Ｂ）））を同期させて再生するようにしているが、例えば、図１３に示すように、２つの動画の再生時刻にずれが生じると、全ての映像情報が異なっている、という結果になるため、上記した従来の映像比較装置１０１を用い、２つの同じ動画を撮像した映像を再生するようにし、無人で機械によって行うことができるようにしたとしても、電気製品の表示画面が、起動時に動画を正確に再生できたり、また、受信した動画を正確に再生できたりできる、欠陥商品では無い製品であるにも関わらず、これを欠陥商品と判断してしまう虞があり、電気製品の動画検査方法及び電気製品の動画検査装置として用いるのが困難である、いう問題もある。
【００１４】
本発明は、以上のような問題を解決するためになされたものであって、工場から出荷する前に、電気製品の表示画面が、起動時に動画を正確に再生できるか否か、また、受信した動画を正確に再生できるか否か等の品質・信頼性試験を無人で機械によって行うことができ、しかも、比較する動画の再生時間にずれが生じて、全ての映像情報が異なっている、という判断をし、表示画面が正常に動作するにも関わらず、これを欠陥商品と認識するようなことがない、電気製品の動画検査方法及び電気製品の動画検査装置を提供することを目的としている。
【課題を解決するための手段】
【００１５】
請求項１に記載の電気製品の動画検査方法は、複数の静止画像からなる基準の動画と複数の静止画像からなる被検査対象の動画の一致性を調べて、被検査対象の動画の一致／不一致を判断する電気製品の動画検査方法において、基準の動画の静止画像を１以上抽出し、抽出された静止画像と一致するフレームが、被検査対象の動画のフレームにあるか否かを予め設定された閾値に基づいて判断し、抽出された全ての静止画像が前記被検査対象の動画のフレームにあると判断すれば基準の動画と被検査対象の動画が一致すると判断するようにした。
【００１６】
請求項２に記載の電気製品の動画検査方法は、品質・信頼性試験の基準となる電気製品の表示画面に表示される、或る動画を撮影し、撮影した動画の開始から終了までの間の画像から複数の静止画像を抽出し、動画を、品質・信頼性試験の対象となる電気製品の表示画面に再生し、複数の静止画像の各々を、順次、品質・信頼性試験の対象となる電気製品の表示画面に再生している動画を撮像し、撮像した動画のフレームと比較し、撮像した動画の或るフレームと複数の静止画像の各々に対応するフレームとの一致割合が、予め設定した閾値の範囲にある場合には、静止画像と撮像した動画の或るフレームとが一致すると判断し、抽出された複数の静止画像の全てが、被検査対象の動画のフレーム中にあると判断した場合、品質・信頼性試験の対象となる電気製品の表示画面に、動画の再生が正確に行われている、と判断するようにした。
請求項３に記載の電気製品の動画検査方法は、請求項１又は請求項２に記載の電気製品の動画検査方法の、抽出した複数の静止画像を出現順に並べ替え、静止画像の各々を、その出現順に、前記品質・信頼性試験の対象となる電気製品の表示画面に再生している動画を撮像し、撮像した動画の１フレーム毎にフレームの出現順に比較し、且つ前記静止画像の一画像が、前記撮像した動画のフレームの或るフレームと一致したと判断したときは、次の静止画像を、前記撮像した動画のフレームの或るフレームの次のフレームから比較するようにした。
【００１７】
請求項４に記載の電気製品の動画検査方法は、請求項１〜３のいずれかに記載の電気製品の動画検査方法で用いる閾値が、画素の比較として光の３原色である赤緑青各々に許容誤差濃度を予め設定し、比較する前記静止画像と前記フレームの全画素について前記許容誤差濃度を超える画素数の総数について予め設定される閾値である。
【００１８】
請求項５に記載の電気製品の動画検査装置は、品質・信頼性試験の基準及び対象となる電気製品の表示画面を撮像する撮像手段と、撮像手段が撮像した、品質・信頼性試験の基準及び対象となる電気製品の表示画面に表示される動画を表示する表示手段と、撮像手段が撮像した、品質・信頼性試験の基準となる電気製品の表示画面に表示される動画の開始から終了までの間の画像から複数の静止画像を抽出する手段と、動画を、品質・信頼性試験の対象となる電気製品の表示画面に再生し、複数の静止画像の各々を、順次、品質・信頼性試験の対象となる電気製品の表示画面に再生している動画を、撮像手段により撮像し、撮像した動画の１フレーム毎に比較し、撮像した動画の或るフレームと複数の静止画像の各々に対応するフレームとの一致割合が、予め設定した閾値の範囲にある場合には、静止画像と前記撮像した動画の或るフレームとが一致すると判断する判断手段と、判断手段が、前記抽出された複数の静止画像の全てが、前記被検査対象の動画のフレーム中にあると判断した場合、品質・信頼性試験の対象となる電気製品の表示画面に、動画の再生が正確に行われている、と判断するようにした。
請求項６に記載の電気製品の動画検査装置は、請求項５に記載の電気製品の動画検査装置が、更に、抽出した複数の静止画像を出現順に並べ替える並び替え手段と、抽出した複数の静止画像の各々を画像並び替え手段により出現順に並べ替えたものを、その出現順に、品質・信頼性試験の対象となる電気製品の表示画面に再生している動画を撮像し、撮像した動画の１フレーム毎にフレームの出現順に比較し、且つ、静止画像の一画像が、撮像した動画のフレームの或るフレームと一致したと判断する判断手段と、判断手段が、静止画像の一画像が、撮像した動画のフレームの或るフレームと一致したと判断したときは、次の静止画像を、撮像した動画のフレームの或るフレームの次のフレームから比較する比較手段とを備える。
【００１９】
請求項７に記載の電気製品の動画検査装置は、請求項５又は請求項６に記載の電気製品の動画検査装置の、判断手段が、前記静止画像の一画像が、前記撮像した動画のフレームの或るフレームと一致したと判断するための閾値が、画素の比較として光の３原色である赤緑青各々に許容誤差濃度を予め設定し、比較する前記静止画像と前記フレームの全画素について前記許容誤差濃度を超える画素数の総数について予め設定される閾値である。
【００２０】
請求項８に記載の電気製品の動画検査装置は、請求項５〜７のいずれかに記載の電気製品の動画検査装置の、品質・信頼性試験の基準及び対象となる表示画面に表示させる動画のサイトを呼び出す情報を記憶する記憶手段と、記憶手段に記憶された動画のサイトを呼び出す情報を、電気製品の外部入力手段へ入力する外部入力手段入力操作手段とを更に備える。
【発明の効果】
【００２１】
請求項１に記載の電気製品の動画検査方法では、基準の動画の静止画像を１以上抽出し、抽出された静止画像と一致するフレームが、被検査対象の動画のフレームにあるか否かを予め設定された閾値に基づいて判断し、抽出された全ての静止画像が前記被検査対象の動画のフレームにあると判断すれば基準の動画と被検査対象の動画が一致すると判断するようにしているので、電気製品の動画の検査を、正確に、無人で機械によって行うことができる。
【００２２】
請求項２に記載の電気製品の動画検査方法では、２つの画像を同期させて再生し、２つの画像の差異により、表示画面に動画が正確に再生されているか否かを判断するのではなく、動画から選択した１画像毎に対し、順次、動画の各フレームを比較するようにしているので、２つの画像が同期せず再生される結果、表示画面の動作性に問題が無いにも関わらず、検査対象が、電気製品の表示画面の再生ができない欠陥商品と判断することがない。
【００２３】
且つ、この動画検査方法では、動画から選択した１画像と、動画の各フレームとを比較する際に、目視によるのではなく、閾値を用いるようにしたので、電気製品の表示画面が、起動時に動画を正確に再生できるか否か、また、受信した動画を正確に再生できるか否か等の品質・信頼性試験を、無人で機械によって行うことができる。
【００２４】
請求項３に記載の電気製品の動画検査方法では、抽出した複数の静止画像を出現順に並べるようにし、静止画像の各々を、その出現順に、品質・信頼性試験の対象となる電気製品の表示画面に再生している動画を撮像し、撮像した動画の１フレーム毎に比較するようにしているので、電気製品の表示画面が、起動時に動画を正確に再生できるか否か、また、受信した動画を正確に再生できるか否か等の品質・信頼性試験の時間短縮が図れる。
請求項４に記載の電気製品の動画検査方法では、動画から選択した１画像毎に対し、順次、動画の各フレームを比較する際に用いる閾値を、対比する２つの画像情報の形状や大きさではなく、光３原色であるＲＧＢの許容誤差濃度（濃度しきい値）をＲＧＢ各々設定し、次いで、設定された許容誤差濃度を超える画素数のＲＧＢ総合計数についてしきい値（画素しきい値）を設定する。この画素しきい値により、抽出した個々の静止画像の一致／不一致を判定するようにしているので、複数の静止画像情報や、動画の各フレームの各々を画像認識する必要が無い。
【００２５】
請求項５に記載の電気製品の動画検査装置は、請求項１又は請求項２に記載の電気製品の動画検査方法を実施する電気製品の動画検査装置を規定するものであって、２つの画像を同期させて再生し、２つの画像の差異により、表示画面に動画が正確に再生されているか否かを判断するのではなく、撮像手段が撮像した、電気製品の表示画面に表示される動画の開始から終了までの間の画像から複数の静止画像を抽出する手段が、動画を構成する複数のフレームから選択した１画像と、動画の各フレームとを比較するようにしているので、２つの画像が同期せず再生される結果、表示画面の動作性に問題が無いにも関わらず、検査対象が、電気製品の表示画面の再生ができない欠陥商品と判断することがない。
【００２６】
且つ、この動画検査装置では、撮像手段が撮像した、電気製品の表示画面に表示される動画の開始から終了までの間の画像から複数の静止画像を抽出する手段が、動画を構成する複数のフレームから選択した１画像と、動画の各フレームとを比較する際に、目視によるのではなく、閾値を用いるようにしたので、電気製品の表示画面が、起動時に動画を正確に再生できるか否か、また、受信した動画を正確に再生できるか否か等の品質・信頼性試験を、無人で機械によって行うことができる。
【００２７】
請求項６に記載の電気製品の動画検査装置では、抽出した複数の静止画像を出現順に並べ替える画像並び替え手段により、出現順に並べた複数の静止画像の各々を、順次、表示画面に再生している動画を１フレーム毎に比較するようにしているので、電気製品の表示画面が、起動時に動画を正確に再生できるか否か、また、受信した動画を正確に再生できるか否か等の品質・信頼性試験の時間短縮が図れる。
【００２８】
請求項７に記載の電気製品の動画検査装置では、光３原色であるＲＧＢの許容誤差濃度（濃度しきい値）をＲＧＢ各々設定し、次いで、設定された許容誤差濃度を超える画素数のＲＧＢ総合計数についてしきい値（画素しきい値）を設定する。この画素しきい値により、抽出した個々の静止画像の一致／不一致を判定するようにしているので、複数の静止画像情報や、動画の各フレームの各々を画像認識する必要が無い。
【００２９】
請求項８に記載の電気製品の動画検査装置では、装置で自動的に、品質・信頼性試験の基準及び対象となる電気製品の表示画面に表示させる動画のサイトを呼び出すことができるようにしたので、電気製品の表示画面が、起動時に動画を正確に再生できるか否か、また、受信した動画を正確に再生できるか否か等の品質・信頼性試験を、動画のサイトの呼び出し段階から、無人で機械によって行うことができる。
【発明を実施するための最良の形態】
【００３０】
以下、本発明に係る電気製品の動画検査方法及びこの方法を実施する装置の一例を、図面を参照しながら、更に、詳しく説明する。
【００３１】
図１は、本発明に係る電気製品の動画検査装置の構成の一例を概略的に説明する構成図である。
【００３２】
また、図２は、本発明に係る電気製品の動画検査方法の概念を模式的に示す説明図であり、図３は、図１に示す電気製品の動画検査装置の記憶部に格納されている動画検査プログラムの一例を模式的に示すフローチャートであり、図４は、図３中のＡで示す静止画像とフレームの一致を調べる詳細なフローチャートである。
この電気製品の動画検査装置１は、電気製品（この例では、動画対応の携帯電話）Ｓの表示画面Ｓａを撮像する撮像手段２と、演算処理手段３とを備える。
【００３３】
演算処理手段３は、演算処理部や記憶手段等を備える制御装置４と、表示手段５と、テンキーや、ファンクションキー、文字入力キーその他のキーを有する外部入力手段６とを備える。
【００３４】
また、この例では、特に以下に示すものには限定されることはないが、撮像手段２として、ＣＣＤカメラ（固体撮像手段）を使用している。
【００３５】
また、この電気製品の動画検査装置１は、電気製品（この例では、動画対応の携帯電話）Ｓの音声を取得するための音声入力手段９を備える。この例では、特に以下に示すものには限定されることはないが、マイクロフォンを使用している。
【００３６】
この電気製品の動画検査装置１では、品質・信頼性試験の基準及び対象となる電気製品Ｓを、電気製品の動画検査装置１の所定の場所に設置する。
【００３７】
尚、品質・信頼性試験の基準及び対象となる電気製品Ｓは、外部からの光、その他の外乱等を遮断するために、二点鎖線で示す暗箱１０の中に設置される。
【００３８】
図１中、７で示す部材装置は、電気製品（この例では、動画対応の携帯電話）Ｓのキー入力部（電気製品Ｓの外部入力手段）Ｓｂを押し操作する外部入力手段入力操作手段を示している。
【００３９】
この例では、外部入力手段入力操作手段７として、キー入力部（電気製品Ｓの外部入力手段）Ｓｂの数に対応するように、空気式、油圧式又は電磁式などのアクチュエータ手段を設けたものを用いている。
【００４０】
尚、この電気製品の動画検査装置１は、検査の品質・信頼性を保持するために、温度及び湿度が一定に保たれた場所に設置されている。
【００４１】
品質・信頼性試験の基準及び対象となる電気製品Ｓは、表示画面Ｓａが、撮像手段２の視野内に入るように、また、電気製品（この例では、動画対応の携帯電話）Ｓのキー入力部（電気製品Ｓの外部入力手段）Ｓｂの各々に、外部入力手段入力操作手段７の各々のアクチュエータ手段が正しく押し操作できるように、セットする。
【００４２】
そして、外部入力手段入力操作手段７は、演算処理手段３の記憶部に、動画のサイトを呼び出す情報（アクセス情報、通常は、電話番号又はインターネットのホームページアドレス）を記憶させておき、演算処理手段３の記憶部又は外部入力手段６から発呼信号が入力されると、動画のサイトを呼び出す情報（アクセス情報、通常は、電話番号又はインターネットのホームページアドレス）を電気製品（この例では、動画対応の携帯電話）Ｓのキー入力部（電気製品Ｓの外部入力手段）Ｓｂがダイヤル（入力）するように押し操作するようになっている。
【００４３】
この電気製品の動画検査装置１では、電気製品（この例では、動画対応の携帯電話）Ｓのキー入力部（電気製品Ｓの外部入力手段）Ｓｂがダイヤル（入力）することで呼び出され、表示画面Ｓａに映し出される動画が、撮像手段２によって撮像され、撮像手段２によって撮像した動画が、演算処理手段３（より特定的には、制御装置４）の記憶部に格納されるようになっている。
【００４４】
演算処理手段３（より特定的には、制御装置４）の記憶部に格納した、撮像手段２によって撮像した動画は、表示手段５に、表示されるようになっている。
【００４５】
この電気製品の動画検査装置１では、電気製品Ｓの品質・信頼性試験をする者等は、例えば、マウス８を用い、表示手段５に、映し出される動画の開始から終了までの間の画像（複数のフレーム）から複数の静止画像を抽出することができるようになっている。
【００４６】
より具体的に説明すると、この電気製品の動画検査装置１では、図５に示す判定画面と、図６及び図７に示すパラメータ設定画面とを備えており、画面選択キーにより、判定画面の選択と、パラメータ設定画面の選択ができるようになっている。
【００４７】
動画から複数の静止画像を抽出する際には、画面選択キーを用い、パラメータ設定画面の選択をする。
【００４８】
すると、演算処理手段３の表示手段５の動画表示領域Ｐ１に、撮像手段２が撮像した、電気製品Ｓの表示画面Ｓａに表示される動画が映し出される。
【００４９】
動画表示領域Ｐ１の下部に、操作キーのアイコンが設けられており、また、動画表示領域Ｐ１の横位置には、動画の中から抽出した画像収容枠部Ｆ１、Ｆ２、Ｆ３、Ｆ４、Ｆ５、Ｆ６、Ｆ７、Ｆ８、Ｆ９、Ｆ１０が設けられている。
【００５０】
この例では、操作キーとして、再生キーＫ１、一時停止キーＫ２、巻き戻しキーＫ３、早送りキーＫ４、停止キーＫ５、動画の中から抽出した静止画像の各々を画像収容枠部Ｆ１、Ｆ２、Ｆ３、Ｆ４、Ｆ５、Ｆ６、Ｆ７、Ｆ８、Ｆ９、Ｆ１０の各々の決定をするＯＫキーＦ２１、及び、一旦、動画の中から選択した静止画像のキャンセルを行うキャンセルキーＦ２２を備える。
【００５１】
また、動画表示領域Ｐ１の下部には、演算処理手段３（より特定的には、制御装置４）の記憶部に格納された動画のフレーム数と、動画表示領域Ｐ１に現在表示されている動画のフレーム番号とが、表示されるようになっている。
【００５２】
また、この例では、操作キーのアイコンが設けられている場所の横位置には、演算処理手段３（より特定的には、制御装置４）の記憶部に格納した、撮像手段２によって撮像した動画のファイル名と、試験対象の電気製品Ｓの表示部Ｓａの品質・信頼性試験を行う際の、撮像手段２によって撮像した動画のファイル名とが、上下２段形式で表示されるようになっている。
【００５３】
尚、この例では、動画の中から、最大、１０枚のフレームを、判定用の静止画像として抽出できるようになっているが、判定ポイントとなる、静止画像の数は、１０枚に限定されることはない。
【００５４】
この電気製品の動画検査装置１では、動画の各フレームの中から、判定ポイントとして用いる、静止画像の各々を抽出する際には、電気製品Ｓの品質・信頼性試験をする者等は、例えば、マウス８を用い、再生キーＫ１をクリックし、表示手段５の動画表示領域Ｐ１に、撮像手段２によって撮像され、撮像手段２によって撮像した動画が、演算処理手段３（より特定的には、制御装置４）の記憶部に格納されている動画の再生を行う。
【００５５】
そして、動画の再生中に、静止画像として抽出するフレームを、マウス８で選択し、画像収容枠部Ｆ１、Ｆ２、Ｆ３、Ｆ４、Ｆ５、Ｆ６、Ｆ７、Ｆ８、Ｆ９、Ｆ１０の各々に入力する。
【００５６】
画像収容枠部Ｆ１、Ｆ２、Ｆ３、Ｆ４、Ｆ５、Ｆ６、Ｆ７、Ｆ８、Ｆ９、Ｆ１０の各々に入力した情報は、フレーム番号とともに、順次、演算処理手段３（より特定的には、制御装置４）の記憶部に格納される。
【００５７】
この電気製品の動画検査装置１では、演算処理手段３に、画像並び替え手段（図示せず。）を設け、画像並び替え手段により、動画の開始から終了までの間の画像（複数のフレーム）から抽出した複数の静止画像の各々を、動画の出現順に並べ替えるようにしている。
【００５８】
この例では、例えば、動画の中から抽出された複数の静止画像の各々のフレーム番号を、昇順にならべることで、動画の出現順に並べ替えるようにしている。
【００５９】
従って、表示手段５に映し出される動画の開始から終了までの間の画像（複数のフレーム）から複数の静止画像を抽出する際に、図５中に示す、複数個の画像収容枠部（この例では、画像収容枠部Ｆ１、Ｆ２、Ｆ３、Ｆ４、Ｆ５、Ｆ６、Ｆ７、Ｆ８、Ｆ９、Ｆ１０の各々に、画像収容枠部Ｆ１、Ｆ２、Ｆ３、Ｆ４、Ｆ５、Ｆ６、Ｆ７、Ｆ８、Ｆ９、Ｆ１０の順に動画の開始から終了までの間の画像（複数のフレーム）を再生順に静止画像として格納をする必要は無い。
【００６０】
この電気製品の動画検査装置１では、撮像手段２が撮像した、電気製品Ｓの表示画面に表示される動画の開始から終了までの間の画像から抽出した、複数の静止画像情報の各々は、固有のＩＤが付され、赤、緑及び青の光の３原色に分解され、赤画素数、緑画素数及び青画素数として、演算処理手段３に記憶される。
【００６１】
また、動画が、電気製品Ｓの表示画面Ｓａに正確に再生できるか否かの品質・信頼性試験を行う際に用いる、閾値の設定をする際には、画面選択キーを用いて、表示手段５に、図７に示す、パラメータ設定画面を呼び出す。
【００６２】
そして、画像収容枠部Ｆ１、Ｆ２、Ｆ３、Ｆ４、Ｆ５、Ｆ６、Ｆ７、Ｆ８、Ｆ９、Ｆ１０の各々内に抽出した静止画像の各々について、光３原色であるＲＧＢ（赤緑青）の許容誤差濃度（濃度しきい値）をＲＧＢ各々設定し、次いで、設定された許容誤差濃度を超える画素数のＲＧＢ総合計数についてしきい値（画素しきい値）を設定する。この画素しきい値により、抽出した個々の静止画像の一致／不一致を判定する。
【００６３】
この例（図７に示すパラメータ設定を参照。）では、赤の濃度しきい値を、０〜２５５の範囲で設定するアイコンキーＫ６、緑の濃度しきい値を、０〜２５５の範囲で設定するアイコンキーＫ７、及び、青の濃度しきい値を、０〜２５５の範囲で設定するアイコンキーＫ８を設け、画素しきい値を、０〜１０００の範囲で設定するアイコンキーＫ９を設ける。赤、緑及び青の各々の濃度しきい値は、アイコンキーＫ６、アイコンキーＫ７及びアイコンキーＫ８の各々を操作し、画素しきい値はアイコンキーＫ９を操作する。そして、アイコンキーＫ６〜Ｋ９で指定されたしきい値は、ＯＫキーＦ２３をクリックすることで、演算処理手段３（より特定的には、制御装置４）の記憶部に格納するようにしている。
【００６４】
一方、一旦、設定した閾値の変更をする場合には、キャンセルキーＦ２４をクリックすると、赤画素数、緑画素数及び青画素数の各々の許容範囲を初期化できるようになっている。
【００６５】
図７では、赤、緑、青の濃度しきい値を１０に設定し、画素しきい値を３００個に設定している。したがって、まず、赤が基準の濃度から±１０を超える画素数を調べ、次に、緑が基準の濃度から±１０を超える画素数を調べ、次に、青が基準の濃度から±１０を超える画素数を調べる。そして、これらの画素数の合計が３００を超えれば、静止画像が不一致と判断する。
【００６６】
以上の閾値の設定作業を、終了し、ＯＫキーＦ２３をクリックすると、図５に示す判定画面が、表示手段５に表示される。
【００６７】
尚、図５中、Ｆ１、Ｆ２、Ｆ３、Ｆ４、Ｆ５、Ｆ６、Ｆ７、Ｆ８、Ｆ９、Ｆ１０の各々は、判断画面の判定ポイントとして用いる、複数の静止画像を表示する画像収容枠部を、Ｆ１１、Ｆ１２、Ｆ１３、Ｆ１４、Ｆ１５、Ｆ１６、Ｆ１７、Ｆ１８、Ｆ１９、Ｆ２０の各々は、検査する動画のフレームの各々を表示する画像収容枠部を、Ｆ２５は、判定を開始する判定開始キーを、Ｌ１は、判定結果を表示する総合判定ランプを示している。
【００６８】
次に、外部入力手段入力操作手段７を用い、演算処理手段３の記憶部に記憶されている、動画のサイトを呼び出す情報（アクセス情報、通常は、電話番号又はインターネットのホームページアドレス）を、電気製品Ｓのキー入力部（電気製品Ｓの外部入力手段）Ｓｂに入力する。
【００６９】
又は、電気製品Ｓのメモリに動画が格納されている場合には、外部入力手段入力操作手段７を用い、演算処理手段３の記憶部に記憶されている、動画の再生キーの押し操作情報を、電気製品Ｓのキー入力部（電気製品Ｓの外部入力手段）Ｓｂに入力する。
【００７０】
この電気製品の動画検査装置１では、電気製品Ｓのキー入力部（電気製品Ｓの外部入力手段）Ｓｂが操作されることで、電気製品Ｓの表示画面に表示される動画は、撮像手段２によって撮像され、撮像手段２によって撮像された動画の各フレームと、先に、撮像手段２が撮像した、電気製品Ｓの表示画面Ｓａに表示される動画の開始から終了までの間の画像から抽出した、複数の静止画像情報の各々に設定した閾値とが、比較される。
【００７１】
より具体的に説明すると、この電気製品の動画検査装置１では、電気製品Ｓのキー入力部（電気製品Ｓの外部入力手段）Ｓｂが操作されることで、電気製品Ｓの表示画面に表示される動画は、撮像手段２によって撮像される。そして、順次、抽出された静止画像が一致する撮像動画のフレームを探す。
【００７２】
図３及び図４のフローチャートに示すように、この方法は、まず、撮像動画の最初のフレームについて、各々の画素の赤の濃度が基準濃度（抽出された静止画像の濃度）に対して設定された濃度閾値（図７の濃度しきい値）を超えたか否かが調べられ、濃度閾値を超えた画素の数がカウントされる。次に、緑と青についても同様に濃度閾値を超えた画素の数がカウントされる。そして、これらの濃度閾値を超えた画素数の合計が設定された閾値（図７の画素しきい値）を超えれば、抽出された静止画像がフレームと不一致であると判断して、次のフレームについて一致／不一致を調べる。
【００７３】
設定された画素しきい値が超えなければ、抽出された静止画像と一致するフレームであると判断して、次の抽出された静止画像について、次のフレームから一致する撮像動画のフレームを探す。このときの濃度閾値と画素閾値は、抽出された静止画像毎に設定された値が使用される。
【００７４】
これを繰り返し、抽出された全静止画像と一致するフレームがあると、電気製品Ｓの表示画面Ｓａに再生されている動画が正常に再生されていると判断する。フレームと一致しない抽出された静止画像が一つでもあると、電気製品Ｓの表示画面Ｓａに再生されている動画が正常に再生されていない、と判断するようになっている。
【００７５】
次に、この電気製品の動画検査装置１の検査方法の一例をフローチャートを用いて、より詳しく説明する。
【００７６】
図３及び図４は、図１に示す電気製品の動画検査装置１の記憶部に格納されている動画検査プログラムの一例を模式的に示すフローチャートである。
【００７７】
図４は図３のステップ３２を詳細に記したサブルーチンであり、一つの抽出静止画像（基準の画像）と一つのフレーム（被検査の画像）の一致／不一致を判断するフローチャートである。図３は、全ての抽出静止画像を対象に図４の動作を行い、被検査対象の動画の合否を判断するフローチャートである。
【００７８】
まず、図４について説明する。図４の動作を行うにあたって、演算処理手段３（より特定的には、制御装置４）は種々の変数を設定し、設定した変数を演算処理手段３内のレジスタ（図示せず。）に記憶する（ステップＳ１１）。この変数について説明する。変数ｉは処理を実行する画素の番号であり、初期値を１とする。変数ＧＮは画素の総数であり、撮像手段２（この例では、ＣＣＤカメラ）の有効画素数（撮像に使用される画素数）がこれに相当する。変数ＲＧＢは処理している色がＲ（赤）／Ｇ（緑）／Ｂ（青）のいずれであるかを示し、ＲＧＢ＝１であればＲについて、ＲＧＢ＝２であればＧについて、ＲＧＢ＝３であればＢについて処理することを示す。配列変数ｅｒｒｏｒ（ＲＧＢ）は夫々の色のエラー数を示し、例えば、ＲＧＢ＝２のときはｅｒｒｏｒ（２）となってＧのエラー数となる。ｅｒｒｏｒ（１）の初期値を０とし、ｅｒｒｏｒ（２）の初期値を０とし、ｅｒｒｏｒ（３）の初期値を０とする。変数ｅｒｒｏｒはＲ／Ｇ／Ｂのエラーの総数を示し、初期値を０とする。
【００７９】
変数Ｔｎは処理を実行する抽出静止画像の番号である。配列変数Ｔ（Ｔｎ，ＲＧＢ）は夫々の抽出静止画像の夫々のＲ／Ｇ／Ｂの濃度閾値を示し、例えば、Ｔｎ＝３，ＲＧＢ＝１のときはＴ（３，１）となって３番目の抽出静止画像のＲの濃度閾値を示す。配列変数Ｔ（Ｔｎ）は抽出静止画像の夫々のＲ／Ｇ／Ｂの画素閾値を示し、例えば、Ｔｎ＝２のときはＴ（２）となって２番目の抽出静止画像の画素閾値を示す。配列変数Ｔ（Ｔｎ，ＲＧＢ，ｉ）は夫々の抽出静止画像の夫々のＲ／Ｇ／Ｂの夫々の画素の濃度を示し、例えば、Ｔｎ＝５，ＲＧＢ＝３，ｉ＝２００のときはＴ（５，３，２００）となって５番目の抽出静止画像のＢの２００番目の画素の濃度を示す。
【００８０】
変数Ｆｎは処理を実行するフレームの番号である。配列変数Ｆ（Ｆｎ，ＲＧＢ，ｉ）は夫々のフレームの夫々のＲ／Ｇ／Ｂの夫々の画素の濃度を示し、例えば、Ｆｎ＝２０，ＲＧＢ＝３，ｉ＝２００のときはＴ（２０，３，２００）となって２０番目のフレームのＢの２００番目の画素の濃度を示す。
【００８１】
ステップ１の設定が終了すると、演算処理手段３は、変数Ｆｎで指定される番号のフレームの、変数ＲＧＢで指定される色の、変数ｉで指定される画素の濃度と、変数Ｔｎで指定される番号の抽出静止画像の、変数ＲＧＢで指定される色の、変数ｉで指定される画素の濃度の差の絶対値を求め、求めた絶対値が変数Ｔｎで指定される番号の抽出静止画像の、変数ＲＧＢで指定される色の濃度閾値以下であるか否かを調べる（ステップＳ１２）。
【００８２】
ステップＳ１２後、変数ｉがＧＮでなければ、即ち、処理している画素番号が最終番号でなければ（ステップＳ１３のＮ）、変数ｉをインクルメント（１加算）して（ステップＳ１４）、即ち、処理する画素番号を次にしてステップＳ１２に戻る。処理している画素番号が最終番号であれば（ステップＳ１３のＹ）、変数ｉを１にし（ステップＳ１５）、変数ＲＧＢが３であるか否かを、すなわち、最終色のＢであるか否かを調べる（ステップＳ１６）。最終色のＢでなければ（ステップＳ１６のＮ）、変数ＲＧＢをインクルメントして（ステップＳ１７）、即ち、処理する色を次にしてステップＳ１２に戻る。最終色のＢであれば（ステップＳ１６のＹ）、変数Ｔｎの番号の抽出静止画像と変数Ｆｎのフレームは全Ｒ／Ｇ／Ｂの全画素について一致／不一致を調べたが、エラーの総数が閾値以内であるのでこの比較は一致すると判断し、変数Ｔｎの番号の抽出静止画像と一致するフレームが被検査動画の中にあったことを表示させ（ステップＳ１８）、サブルーチンを終了する。
【００８３】
ステップＳ１２で濃度閾値以上であれば、変数ｅｒｒｏｒ（ＲＧＢ）をインクルメントし（ステップＳ１９）、変数ｅｒｒｏｒをインクルメントする（ステップＳ２０）。即ち、処理している色の濃度のエラー数とエラー総数を１ずつカウントアップする。そして、カウントアップしたエラー総数が画素閾値以内であれば（ステップＳ２１のＹ）、ステップＳ１３に進む。エラー総数が画素閾値以内でなければ（ステップＳ２１のＮ）、変数Ｔｎの番号の抽出静止画像と変数Ｆｎの番号のフレームは不一致であることを表示させ（ステップＳ２２）、直ちにサブルーチンを終了する。
【００８４】
次に、図３について説明する。図３の動作を行うにあたって、演算処理手段３は変数を次のように設定する（ステップ３１）。処理を実行する抽出静止画像の番号である変数Ｔｎを１に設定する。変数ＴＮを抽出静止画像の総数とする。処理を実行するフレームの番号である変数Ｆｎを１に設定する。変数ＦＮをフレームの総数とする。
【００８５】
変数Ｔｎで指定された番号の抽出静止画像と変数Ｆｎで指定された番号のフレームについて、図４で示す一致／不一致の判断処理を行う（ステップＳ３２）。一致すると判断すれば、即ち、変数Ｔｎで指定された番号の抽出静止画像と一致するものが被検査動画の中にあったと判断すれば（ステップＳ３２のＹ）、変数ＴｎがＴＮであるか否か、即ち、処理している抽出静止画像の番号が最終番号であるか否かを調べる（ステップＳ３３）。処理している抽出静止画像の番号が最終番号でなければ（ステップＳ３３のＮ）、変数Ｔｎと変数Ｆｎをインクルメントし、即ち、処理する抽出静止画像の番号とフレームの番号を次の番号にし（ステップＳ３４）、ステップＳ３２に戻る。処理している抽出静止画像の番号が最終番号であれば（ステップＳ３３のＹ）、全ての抽出静止画像について、一致するものが被検査動画の中にあったと判断して、被検査動画が正しく再生されていることを表示させる（ステップＳ３５）。
【００８６】
ステップＳ３２で変数Ｔｎの抽出静止画像と変数Ｆｎのフレームが不一致であると判断すると、変数ＦｎがＦＮであるか否か、即ち、処理しているフレームの番号が最終番号であるか否かを調べる（ステップＳ３６）。処理しているフレームの番号が最終番号でなければ（ステップＳ３６のＮ）、変数Ｆｎをインクルメントし、即ち、処理するフレームの番号を次の番号にし（ステップＳ３７）、ステップＳ３２に戻る。処理しているフレームの番号が最終番号であれば（ステップＳ３６のＹ）、被検査動画の中に一致しない抽出静止画像があったとして、被検査動画が正しく再生されていないことを表示させる（ステップＳ３８）。
【００８７】
次に、電気製品の動画検査装置１を用いて、動画対応の携帯電話（電気製品Ｓ）の品質・信頼性試験を行う方法の一例を概略的に説明する。
【００８８】
まず、図１に示すように、電気製品の動画検査装置１に、携帯電話（電気製品Ｓ）をセットする。
【００８９】
次に、演算処理手段３（より特定的には、制御装置４）の記憶部に予め格納している、動画のサイトへのアクセス情報（電話番号、インターネットのアドレス番号等）を呼び出して、外部入力手段入力操作手段７を駆動し、携帯電話（電気製品Ｓ）のキー入力部（電気製品Ｓの外部入力手段）Ｓｂを押し操作し、携帯電話（電気製品Ｓ）の表示画面Ｓａに動画を再生する。
【００９０】
携帯電話（電気製品Ｓ）の表示画面Ｓａに再生されている動画は、撮像手段２によって撮像され、演算処理手段３（より特定的には、制御装置４）の記憶部に格納される。
【００９１】
携帯電話（電気製品Ｓ）の品質・信頼性試験をする者等は、図６に示すパラメータ設定画面を表示手段５に表示し、表示手段５の動画表示領域Ｐ１に映し出される動画の映像の中から、静止画像として抽出するフレームを、マウス８で選択し、画像収容枠部Ｆ１、Ｆ２、Ｆ３、Ｆ４、Ｆ５、Ｆ６、Ｆ７、Ｆ８、Ｆ９、Ｆ１０の各々に入力する。
【００９２】
次に、携帯電話（電気製品Ｓ）の品質・信頼性試験をする者等は、図７に示すパラメータ設定画面を表示手段５に表示し、画像収容枠部Ｆ１、Ｆ２、Ｆ３、Ｆ４、Ｆ５、Ｆ６、Ｆ７、Ｆ８、Ｆ９、Ｆ１０の各々に入力した静止画像を、順次、演算処理手段３（より特定的には、制御装置４）の記憶部から呼び出し、各々の静止画像の閾値を設定する。
【００９３】
次に、図５に示す判定画面を、表示手段５に表示する。
【００９４】
すると、演算処理装置３（より特定的には、制御装置４）の記憶部に予め格納している、動画のサイトへのアクセス情報（電話番号、インターネットのアドレス番号等）を呼び出して、外部入力手段入力操作手段７を駆動し、携帯電話（電気製品Ｓ）のキー入力部（電気製品Ｓの外部入力手段）Ｓｂを押し操作し、携帯電話（電気製品Ｓ）の表示画面Ｓａに動画を再生する。
【００９５】
携帯電話（電気製品Ｓ）の表示画面Ｓａに再生されている動画は、撮像手段２によって撮像され、撮像手段２によって撮像した動画の各フレームが、判定ポイントとして用いる静止画像に対応する閾値とが、静止画像の昇順に比較され、静止画像に対応する閾値内の動画のフレームが、存在すれば、「正常」、静止画像に対応する閾値の動画のフレームが、存在しなければ、「不良品」という判断が、図３及び図４に示す、フローチャートの手順で行われる。
【００９６】
尚、この電気製品の動画検査装置１では、判定ポイントとして用いる、複数の静止画像に対応する動画のフレームがある場合には、図８に示すように、判断画面の判定ポイントとして用いる、複数の静止画像を表示している画像収容枠部Ｆ１、Ｆ２、Ｆ３、Ｆ４、Ｆ５、Ｆ６、Ｆ７、Ｆ８、Ｆ９、Ｆ１０の各々の下段に、画像収容枠部Ｆ１、Ｆ２、Ｆ３、Ｆ４、Ｆ５、Ｆ６、Ｆ７、Ｆ８、Ｆ９、Ｆ１０の各々内に表示されている静止画像の閾値内の動画のフレームの各々が、画像収容枠部Ｆ１１、Ｆ１２、Ｆ１３、Ｆ１４、Ｆ１５、Ｆ１６、Ｆ１７、Ｆ１８、Ｆ１９、Ｆ２０に表示され、携帯電話（電気製品Ｓ）の品質・信頼性試験をする者が、目視によっても、携帯電話（電気製品Ｓ）の表示画面Ｓａに動画が正確に再生できていることを確認できるようになっている。
【００９７】
一方、この電気製品の動画検査装置１では、判定ポイントとして用いる、複数の静止画像の各々に対応する動画のフレームがない場合には、判断画面の判定ポイントとして用いる、複数の静止画像を表示している画像収容枠部Ｆ１、Ｆ２、Ｆ３、Ｆ４、Ｆ５、Ｆ６、Ｆ７、Ｆ８、Ｆ９、Ｆ１０の各々の下段に設けられている画像収容枠部Ｆ１１、Ｆ１２、Ｆ１３、Ｆ１４、Ｆ１５、Ｆ１６、Ｆ１７、Ｆ１８、Ｆ１９、Ｆ２０に、対応する動画のフレームがないことを示す「空白」が表示されるようになっている。
【００９８】
そして、「正常」の場合は、判定画面の総合判定ランプＬ１が「青色」に、「不良品」の場合は、判定画面の総合判定ランプＬ１が「赤色」に点灯するようになっている。
携帯電話（電気製品Ｓ）の品質・信頼性試験は、上記した試験を、携帯電話（電気製品Ｓ）の１台について、５００回程度、行って、携帯電話（電気製品Ｓ）の表示画面Ｓａに動画が正確に再生できることを確認できたものから、工場から出荷する。
【００９９】
この電気製品の動画検査装置１では、以上の説明からも明らかなように、基準の動画の静止画像を１以上抽出し、抽出された静止画像と一致するフレームが、被検査対象の動画のフレームにあるか否かを予め設定された閾値に基づいて判断し、抽出された全ての静止画像が前記被検査対象の動画のフレームにあると判断すれば基準の動画と被検査対象の動画が一致すると判断するようにしているので、電気製品の動画の検査を、正確に、無人で機械によって行うことができる。
【０１００】
また、この電気製品の動画検査装置１では、２つの画像を同期させて再生し、２つの画像の差異により、表示画面に動画が正確に再生されているか否かを判断するのではなく、動画から選択した１画像毎に対し、順次、動画の各フレームを比較するようにしているので、２つの画像が同期せず再生される結果、表示画面の動作性に問題が無いにも関わらず、検査対象が、電気製品Ｓの表示画面Ｓａの再生ができない欠陥商品と判断することがない。
【０１０１】
且つ、この電気製品の動画検査装置１では、動画から選択した１画像と、動画の各フレームとを比較する際に、目視によるのではなく、閾値を用いるようにしたので、電気製品の表示画面が、起動時に動画を正確に再生できるか否か、また、受信した動画を正確に再生できるか否か等の品質・信頼性試験を、無人で機械によって行うことができる。
【０１０２】
また、この電気製品の動画検査装置１では、動画から選択した１画像毎に対し、順次、動画の各フレームを比較する際に用いる閾値を、対比する２つの画像情報の形状や大きさではなく、光３原色であるＲＧＢの許容誤差濃度（濃度しきい値）をＲＧＢ各々設定し、次いで、設定された許容誤差濃度を超える画素数のＲＧＢ総合計数についてしきい値（画素しきい値）を設定する。この画素しきい値により、抽出した個々の静止画像の一致／不一致を判定するようにしているので、複数の静止画像情報や、動画の各フレームの各々を画像認識する必要が無い。
【０１０３】
また、この電気製品の動画検査装置１では、装置が自動的に、電気製品Ｓの表示画面Ｓａに表示させる動画のサイトを呼び出すことができるようにしたので、表示画面Ｓａが、起動時に動画を正確に再生できるか否か、また、受信した動画を正確に再生できるか否か等の品質・信頼性試験を、動画のサイトの呼び出し段階から、無人で機械によって行うことができる。
【産業上の利用可能性】
【０１０４】
本発明に係る電気製品の動画検査方法及び電気製品の動画検査装置は、携帯電話等の液晶表示部その他の表示部において動画が正確に再生できるか否かの検査が無人で機械によってできるので、液晶表示部その他の表示部において動画の再生を行うことのある携帯電話等の情報端末機その他の電化製品の品質検査に幅広く用いることができる。
【図面の簡単な説明】
【０１０５】
【図１】本発明に係る電気製品の動画検査装置の構成の一例を概略的に説明する構成図である。
【図２】本発明に係る電気製品の動画検査方法の概念を模式的に示す説明図である。
【図３】図１に示す電気製品の動画検査装置の記憶部に格納されている動画検査プログラムの一例を模式的に示すフローチャートである。
【図４】図３中のＳ３２で示す静止画像とフレームの一致を調べる詳細なフローチャートである。
【図５】図１に示す電気製品の動画検査装置に設けられている判定画面を示す図である。
【図６】図１に示す電気製品の動画検査装置に設けられているパラメータ設定画面を示す図である。
【図７】図１に示す電気製品の動画検査装置に設けられているパラメータ設定画面を示す図である。
【図８】電気製品の表示画面に動画が正確に再生されている場合の判断画面の一例を示す図である。
【図９】従来の映像比較装置の構成を概略的に示すブロック図である。
【図１０】図９に示す映像比較装置の機能の概略を示す概念図である。
【図１１】図９に示す映像比較装置の動作の概要を示すフローチャートである。
【図１２】図９に示す映像比較装置の２つの動画像データを同期させて再生した合成映像を示す図である。
【図１３】図９に示す映像比較装置の２つの動画像データの同期がずれた場合の合成映像を示す図である。
【符号の説明】
【０１０６】
１  電気製品の動画検査装置
２  撮像手段
３  演算処理手段
４  制御装置
５  表示手段
６  外部入力手段
７  外部入力手段入力操作手段
８  マウス
９  音声入力手段
１０  暗箱
Ｓ    電気製品
Ｓａ  表示画面
Ｓｂ  キー入力部
【図１】
2006033733.tif 000003
【図２】
2006033733.tif 000004
【図３】
2006033733.tif 000005
【図４】
2006033733.tif 000006
【図５】
2006033733.tif 000007
【図６】
2006033733.tif 000008
【図７】
2006033733.tif 000009
【図８】
2006033733.tif 000010
【図９】
2006033733.tif 000011
【図１０】
2006033733.tif 000012
【図１１】
2006033733.tif 000013
【図１２】
2006033733.tif 000014
【図１３】
2006033733.tif 000015